(57)【要約】【課題】パネルの破断、および、パネルの破断により生じた破断片のタブによる押し込みを円滑に行うことが可能な缶蓋等を提供する。【解決手段】タブ本体部５２０に対して、タブ本体部５２０を貫通するように設けられた第１本体部スリット７３１〜第３本体部スリット７３３が設けられている。第１本体部スリット７３１〜第３本体部スリット７３３は、円形に形成された挿入孔５４０の外周縁に沿うように円弧を描いた状態で形成されている。また、第１本体部スリット７３１は、タブ５００の第１の縁部５０１と挿入口５４０との間に設けられている。第２本体部スリット７３２および第３本体部スリット７３３の各々は、一端７５１および他端７５２を有している。ここで、一端７５１は、挿入孔５４０よりもタブ５００の第２の縁部５０２側に位置している。【選択図】図７
2014094751.tif 000002
【特許請求の範囲】
【請求項１】
外周縁を有し、缶胴の開口に取り付けられるパネルと、
第１の縁部を有し、当該第１の縁部とは反対側に第２の縁部を有するとともに、当該第１の縁部から当該第２の縁部に向かうように形成された第１の側辺と、当該第１の縁部から当該第２の縁部に向かうように形成されるとともに当該第１の側辺とは反対側に配置された第２の側辺とを備え、前記パネルに開口が形成される際、当該第１の縁部側が当該パネルから離れる方向に移動するようにユーザにより操作されるタブと、
前記タブのうちの前記第１の縁部と前記第２の縁部との間に位置する部位と前記パネルとを接続する接続部と、
を備え、
前記タブには、
前記第１の縁部と前記接続部との間に設けられた第１の貫通孔と、
前記接続部よりも前記第２の縁部が設けられている側に一端部を有し、当該一端部が位置する箇所から、当該接続部と前記第１の側辺との間を通り且つ前記第１の貫通孔と当該第１の側辺との間を通り、前記第１の縁部側に向かうように形成されるとともに、少なくとも一部が前記第２の側辺側に向かうように形成され、当該第１の貫通孔と当該第１の縁部との間に位置する領域内に他端部が位置するように形成された第２の貫通孔と、
前記接続部よりも前記第２の縁部が設けられている側に一端部を有し、当該一端部が位置する箇所から、当該接続部と前記第２の側辺との間を通り且つ前記第１の貫通孔と当該第２の側辺との間を通り、前記第１の縁部側に向かうように形成されるとともに、少なくとも一部が前記第１の側辺側に向かうように形成され、当該第１の貫通孔と当該第１の縁部との間に位置する前記領域内に他端部が位置するように形成された第３の貫通孔と、
が設けられていることを特徴とする缶蓋。
【請求項２】
前記接続部は、前記タブの中心線上に位置する部位であって前記第１の縁部側から前記第２の縁部側に向かう中心線上に位置する部位と、前記パネルとを接続し、
前記第１の貫通孔は、前記タブの前記中心線上に設けられるとともに、当該中心線を対称軸として線対称となる形状で形成され、
前記第２の貫通孔および前記第３の貫通孔のうちの一方の貫通孔は、前記中心線を挟んで相対する二つの領域のうちの一方の領域側に形成され、他方の貫通孔は、当該二つの領域のうちの他方の領域側に形成され、且つ、当該第２の貫通孔および当該第３の貫通孔は、当該中心線を対称軸として線対称となる関係で配置されていることを特徴とする請求項１記載の缶蓋。
【請求項３】
前記第１の貫通孔は、前記接続部が設けられている箇所を中心として円弧を描くように形成されていることを特徴とする請求項１記載の缶蓋。
【請求項４】
前記第２の貫通孔および前記第３の貫通孔は、前記接続部が設けられている箇所を中心として円弧を描くように形成されていることを特徴とする請求項３記載の缶蓋。
【請求項５】
円弧を描くように形成された前記第２の貫通孔および前記第３の貫通孔は、前記接続部から第１の離間距離だけ離れた箇所を通過するように設けられるとともに、前記第１の貫通孔と当該接続部との離間距離よりも当該第１の離間距離の方が大きくなるように形成され、且つ、当該第１の貫通孔と前記第１の縁部との間に位置する前記領域まで延びていることを特徴とする請求項４記載の缶蓋。
【請求項６】
開口を有し飲料を内部に収容した缶胴と、当該缶胴の当該開口を塞ぐ缶蓋とを有し、
前記缶蓋は、
外周縁を有し、前記缶胴の開口に取り付けられるパネルと、
第１の縁部を有し、当該第１の縁部とは反対側に第２の縁部を有するとともに、当該第１の縁部から当該第２の縁部に向かうように形成された第１の側辺と、当該第１の縁部から当該第２の縁部に向かうように形成されるとともに当該第１の側辺とは反対側に配置された第２の側辺とを備え、前記パネルに開口が形成される際、当該第１の縁部側が当該パネルから離れる方向に移動するようにユーザにより操作されるタブと、
前記タブのうちの前記第１の縁部と前記第２の縁部との間に位置する部位と前記パネルとを接続する接続部と、
を備え、
前記タブには、
前記第１の縁部と前記接続部との間に設けられた第１の貫通孔と、
前記接続部よりも前記第２の縁部が設けられている側に一端部を有し、当該一端部が位置する箇所から、当該接続部と前記第１の側辺との間を通り且つ前記第１の貫通孔と当該第１の側辺との間を通り、前記第１の縁部側に向かうように形成されるとともに、少なくとも一部が前記第２の側辺側に向かうように形成され、当該第１の貫通孔と当該第１の縁部との間に位置する領域内に他端部が位置するように形成された第２の貫通孔と、
前記接続部よりも前記第２の縁部が設けられている側に一端部を有し、当該一端部が位置する箇所から、当該接続部と前記第２の側辺との間を通り且つ前記第１の貫通孔と当該第２の側辺との間を通り、前記第１の縁部側に向かうように形成されるとともに、少なくとも一部が前記第１の側辺側に向かうように形成され、当該第１の貫通孔と当該第１の縁部との間に位置する前記領域内に他端部が位置するように形成された第３の貫通孔と、
が設けられていることを特徴とする飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
タブによってパネルの一部を押圧することでスコア線にてパネルの破断が生じ、飲み口として機能する開口が形成される飲料缶が知られている。ここで、このような飲料缶では、パネルの破断が生じた後にタブがさらに操作されることで、パネルの破断により生じた舌片状の破断片が飲料缶の内部に押し込まれ、開口が形成される。
本発明の目的は、パネルの破断、および、パネルの破断により生じた破断片のタブによる押し込みを円滑に行うことが可能な缶蓋等を提供することにある。
【課題を解決するための手段】
【０００５】
本発明が適用される缶蓋は、外周縁を有し、缶胴の開口に取り付けられるパネルと、第１の縁部を有し、当該第１の縁部とは反対側に第２の縁部を有するとともに、当該第１の縁部から当該第２の縁部に向かうように形成された第１の側辺と、当該第１の縁部から当該第２の縁部に向かうように形成されるとともに当該第１の側辺とは反対側に配置された第２の側辺とを備え、前記パネルに開口が形成される際、当該第１の縁部側が当該パネルから離れる方向に移動するようにユーザにより操作されるタブと、前記タブのうちの前記第１の縁部と前記第２の縁部との間に位置する部位と前記パネルとを接続する接続部と、を備え、前記タブには、前記第１の縁部と前記接続部との間に設けられた第１の貫通孔と、前記接続部よりも前記第２の縁部が設けられている側に一端部を有し、当該一端部が位置する箇所から、当該接続部と前記第１の側辺との間を通り且つ前記第１の貫通孔と当該第１の側辺との間を通り、前記第１の縁部側に向かうように形成されるとともに、少なくとも一部が前記第２の側辺側に向かうように形成され、当該第１の貫通孔と当該第１の縁部との間に位置する領域内に他端部が位置するように形成された第２の貫通孔と、前記接続部よりも前記第２の縁部が設けられている側に一端部を有し、当該一端部が位置する箇所から、当該接続部と前記第２の側辺との間を通り且つ前記第１の貫通孔と当該第２の側辺との間を通り、前記第１の縁部側に向かうように形成されるとともに、少なくとも一部が前記第１の側辺側に向かうように形成され、当該第１の貫通孔と当該第１の縁部との間に位置する前記領域内に他端部が位置するように形成された第３の貫通孔と、が設けられていることを特徴とする缶蓋である。
【０００６】
ここで、前記接続部は、前記タブの中心線上に位置する部位であって前記第１の縁部側から前記第２の縁部側に向かう中心線上に位置する部位と、前記パネルとを接続し、前記第１の貫通孔は、前記タブの前記中心線上に設けられるとともに、当該中心線を対称軸として線対称となる形状で形成され、前記第２の貫通孔および前記第３の貫通孔のうちの一方の貫通孔は、前記中心線を挟んで相対する二つの領域のうちの一方の領域側に形成され、他方の貫通孔は、当該二つの領域のうちの他方の領域側に形成され、且つ、当該第２の貫通孔および当該第３の貫通孔は、当該中心線を対称軸として線対称となる関係で配置されていることを特徴とすることができる。この場合、タブの挙動が不安定となることを抑制することができるようになる。
また、前記第１の貫通孔は、前記接続部が設けられている箇所を中心として円弧を描くように形成されていることを特徴とすることができる。この場合、第１の貫通孔が屈曲して形成されている場合などに比べ、タブにて起こりうる応力集中を生じにくくすることができる。
また、前記第２の貫通孔および前記第３の貫通孔は、前記接続部が設けられている箇所を中心として円弧を描くように形成されていることを特徴とすることができる。この場合、第２の貫通孔および第３の貫通孔が屈曲して形成されている場合などに比べ、タブにて起こりうる応力集中を生じにくくすることができる。
また、円弧を描くように形成された前記第２の貫通孔および前記第３の貫通孔は、前記接続部から第１の離間距離だけ離れた箇所を通過するように設けられるとともに、前記第１の貫通孔と当該接続部との離間距離よりも当該第１の離間距離の方が大きくなるように形成され、且つ、当該第１の貫通孔と前記第１の縁部との間に位置する前記領域まで延びていることを特徴とすることができる。この場合、第１の貫通孔とタブの第１の縁部との間に位置する領域まで、第２の貫通孔および第３の貫通孔が延びていない場合に比べ、接続部のうちの第１の縁部側に位置する部位に加わる荷重であってタブの操作がユーザにより開始された際に加わる荷重を低減することができるようになる。
【０００７】
また本発明を飲料缶と捉えた場合、本発明が適用される飲料缶は、開口を有し飲料を内部に収容した缶胴と、当該缶胴の当該開口を塞ぐ缶蓋とを有し、前記缶蓋は、外周縁を有し、前記缶胴の開口に取り付けられるパネルと、第１の縁部を有し、当該第１の縁部とは反対側に第２の縁部を有するとともに、当該第１の縁部から当該第２の縁部に向かうように形成された第１の側辺と、当該第１の縁部から当該第２の縁部に向かうように形成されるとともに当該第１の側辺とは反対側に配置された第２の側辺とを備え、前記パネルに開口が形成される際、当該第１の縁部側が当該パネルから離れる方向に移動するようにユーザにより操作されるタブと、前記タブのうちの前記第１の縁部と前記第２の縁部との間に位置する部位と前記パネルとを接続する接続部と、を備え、前記タブには、前記第１の縁部と前記接続部との間に設けられた第１の貫通孔と、前記接続部よりも前記第２の縁部が設けられている側に一端部を有し、当該一端部が位置する箇所から、当該接続部と前記第１の側辺との間を通り且つ前記第１の貫通孔と当該第１の側辺との間を通り、前記第１の縁部側に向かうように形成されるとともに、少なくとも一部が前記第２の側辺側に向かうように形成され、当該第１の貫通孔と当該第１の縁部との間に位置する領域内に他端部が位置するように形成された第２の貫通孔と、前記接続部よりも前記第２の縁部が設けられている側に一端部を有し、当該一端部が位置する箇所から、当該接続部と前記第２の側辺との間を通り且つ前記第１の貫通孔と当該第２の側辺との間を通り、前記第１の縁部側に向かうように形成されるとともに、少なくとも一部が前記第１の側辺側に向かうように形成され、当該第１の貫通孔と当該第１の縁部との間に位置する前記領域内に他端部が位置するように形成された第３の貫通孔と、が設けられていることを特徴とする飲料缶である。
【発明の効果】
【０００８】
本発明によれば、パネルの破断、および、パネルの破断により生じた破断片のタブによる押し込みを円滑に行うことが可能な缶蓋等を提供することが可能となる。
【図面の簡単な説明】
【０００９】
【図１】本実施の形態が適用される飲料缶の上面図である。
【図２】タブが取り付けられる前のパネルの状態を示した正面図である。
【図３】パネルの状態を説明するための図である。
【図４】パネルにて生じる破断を説明するための図である。
【図５】溝の他の形態の一例を示した図である。
【図６】パネルの他の構成例を示した図である。
【図７】タブの構成を説明するための図である。
【図８】飲料缶に開口が形成される際のタブの動きを示した図である。
【図９】飲料缶を上方から眺めた場合の図である。
【図１０】缶蓋の他の構成例を示した図である。
【発明を実施するための形態】
【００１０】
以下、添付図面を参照して、本発明の実施の形態について詳細に説明する。
図１は、本実施の形態が適用される飲料缶１００の上面図である。この飲料缶１００は、同図に示すように、上部に開口を有するとともに下部に底部を有し且つ筒状に形成された容器本体（缶胴）２００と、容器本体２００の開口に取り付けられ容器本体２００の開口を塞ぐ缶蓋３００とを有している。なお、飲料缶１００の内部には、清涼飲料、炭酸飲料、アルコール飲料などの飲料（内容物）が充填（収容）されている。
【００１１】
缶蓋３００は、円盤状に形成され基板として機能するパネル４００を有している。また缶蓋３００は、ユーザにより操作されるタブ５００を有している。ここで、タブ５００は、パネル４００に取り付けられている。また、タブ５００は、パネル４００の周縁部側からリベット９００に向かう一方向に沿って配置されている。
【００１２】
また、タブ５００は、長手方向における一端部側に第１の縁部５０１を有するとともに、長手方向における他端部側に第２の縁部５０２を有し、第１の縁部５０１側がパネル４００から離れる方向に移動するようにユーザにより操作されることで、パネル４００のうちの予め定められた箇所（詳細は後述）に対して第２の縁部５０２を押し付け、パネル４００を押圧する。なお、本実施形態における缶蓋３００は、飲み口として機能する開口がパネル４００に形成された後も、タブ５００がパネル４００に取り付けられた状態を維持するいわゆるステイオンタイプの缶蓋である。
【００１３】
ここで、本実施形態では、タブ５００は、パネル４００の中央部（中心）からずれた位置に設けられたリベット９００によってパネル４００に固定されている。付言すると、タブ５００は、パネル４００に対して偏心した状態で設けられたリベット９００によってパネル４００に固定されている。さらに説明すると、パネル４００のうちのタブ５００により押圧される部位よりもパネル４００の中央部側に設けられたリベット９００によって、タブ５００はパネル４００に対し固定されている。
【００１４】
さらに、タブ５００は、タブ５００のうちの第１の縁部５０１と第２の縁部５０２との間に位置する部位がリベット９００によってパネル４００に固定されている。ここで、リベット９００が設けられている箇所は、タブ５００のうちの第１の縁部５０１と第２の縁部５０２との間に位置する部位と、パネル４００とを接続する接続部として捉えることができる。また、リベット９００は、タブ５００のうちの中心線ＣＬ（第１の縁部５０１側から第２の縁部５０２側に向かう、タブ５００の長手方向に沿った仮想中心線ＣＬ）上に位置する部位と、パネル４００とを接続している。
【００１５】
なお、本実施形態では、パネル４００の中央部からずれた位置に設けられたリベット９００によって、タブ５００がパネル４００に固定されている態様を一例に説明するが、タブ５００は、パネル４００の中央部に設けられたリベット９００によってパネル４００に固定してもよい。また、図１では、第２の縁部５０２（タブ５００の先端部（タブノーズ））が円弧状に形成されたタブ５００を例示したが、例えば矩形状にタブ５００を形成し、タブ５００の先端部を直線状とするようにしてもよい。
【００１６】
図２は、タブ５００が取り付けられる前のパネル４００の状態を示した正面図である。
パネル４００は、上記のとおり円盤状に形成されている。また、パネル４００は、曲げ加工が施された外周縁４１０を有している。本実施形態では、この外周縁４１０と容器本体２００の上縁部（不図示）とが互いに接触した状態で、この外周縁４１０および上縁部に対しいわゆる巻き締め加工が施される。これにより、パネル４００が容器本体２００の上縁部に固定される。また、パネル４００には、タブ５００がパネル４００に固定される際に押しつぶされ上述したリベット９００となる突出部（ニップル）４２０が形成されている。この突出部４２０は、パネル４００の中心部ＣＰから外れた箇所に設けられている。
【００１７】
また、パネル４００の表面には、第１スコア線４３０が形成されている。この第１スコア線４３０は、パネル４００のうちのタブ５００により押圧される領域ＲＡ（タブ５００により押圧される押圧部位）を囲むように形成されている。付言すると、第１スコア線４３０は、領域ＲＡの周囲に形成されている。また、この第１スコア線４３０は、パネル４００の表面に形成された溝により構成されており、パネル４００の破断（後述）を誘導する役割を果たす。付言すると、第１スコア線４３０は、パネル４００の破断が予定されている破断予定線として捉えることができる。
【００１８】
また、第１スコア線４３０は、パネル４００の外周縁４１０側に向かって膨らむように形成され、パネル４００を正面から眺めた場合に略Ｕ字状に形成されている。さらに、第１スコア線４３０は、パネル４００の中心部ＣＰ側に一端部４３１および他端部４３２を有し、パネル４００の外周縁４１０側に頂部４３３Ａを有している。
【００１９】
第１スコア線４３０の一端部４３１は、タブ５００の中心線ＣＬ（図１も参照）を挟んで相対する二つの領域のうちの一方の領域側に配置されている。付言すると、一端部４３１は、タブ５００の長手方向に沿った中心線ＣＬを挟んで相対する二つの領域のうちの一方の領域側に配置されている。また、他端部４３２は、中心線ＣＬを挟んで相対する二つの領域のうちの他方の領域側に配置されている。また、本実施形態では、タブ５００の中心線ＣＬを対称軸として線対称となるように第１スコア線４３０が配置されている。
【００２０】
また、本実施形態では、一端部４３１および他端部４３２が互いに離れた状態で設けられることによって、一端部４３１と他端部４３２との間には、第１スコア線４３０が設けられていない不連続部が設けられた状態となっている。この不連続部が設けられることによって、後述する舌片部がパネル４００から離脱せず舌片部がパネル４００に取り付いたままの状態となる。なお、本実施形態では、タブ５００の中心線ＣＬは、図２に示すように、パネル４００の中心部ＣＰとパネル４００に形成された突出部４２０とを通過する。
【００２１】
また、本実施形態では、上記中心線ＣＬと直交する仮想線であって突出部４２０（リベット９００）を通る第１仮想線ＫＬ１を想定した場合に、上記一端部４３１および他端部４３２は、この第１仮想線ＫＬ１よりもパネル４００の中心部ＣＰ側に設けられている。付言すると、図１において、一端部４３１および他端部４３２は、リベット９００よりも上方に設けられている。また、上記中心線ＣＬと直交する仮想線であってパネル４００の中心部ＣＰを通る第２仮想線ＫＬ２を挟んで相対する２つの領域のうちの一方の領域内に頂部４３３Ａが設けられ、他方の領域内に一端部４３１および他端部４３２が設けられている。さらに、この一方の領域内に、突出部４２０が設けられている。
【００２２】
さらに説明すると、リベット９００となる突出部４２０は、パネル４００のうちの第１スコア線４３０により囲まれている部位であって、第１スコア線４３０の一端部４３１および他端部４３２よりも頂部４３３Ａ側に位置する部位に設けられている。また、第１スコア線４３０は、図２に示すように湾曲部４３３を有している。この湾曲部４３３は、一端部４３１と他端部４３２とを結ぶとともに突出部４２０が設けられている側に膨らみ且つ突出部４２０よりもパネル４００の外周縁４１０側を通るように設けられている。
【００２３】
また、湾曲部４３３は、中心線ＣＬと交わる箇所に頂部４３３Ａを有している。また、本実施形態における缶蓋３００では、パネル４００のうち第１スコア線４３０により囲まれた領域内に、この第１スコア線４３０により囲まれた領域の剛性を高める補強用ビードＨＢが形成されている。また、補強用ビードＨＢの一端部には、上方（飲料缶１００の外側）に向かって突出しタブ５００の先端により押圧されるエンボスＥＢが設けられている。このエンボスＥＢが設けられることによって、エンボスＥＢがない場合に比べ、第２スコア線４５０（詳細は後述）におけるパネル４００の破断が生じやすくなる。
【００２４】
ここで、本実施形態では、ユーザによりタブ５００が操作されることで、第１スコア線４３０により囲まれた領域がタブ５００により押圧され、第１スコア線４３０が形成されている箇所にてパネル４００の破断が生じる（詳細は後述）。これにより、第１スコア線４３０が形成されている領域が舌片状となり、且つ、この領域が飲料缶１００の内部に向かって折れ曲がる。これにより、飲み口としての役割を果たす開口が飲料缶１００に形成される。なお、本明細書では、以下、第１スコア線４３０にて生じる破断により形成される上記舌片状の部位を舌片部と称する場合がある。
【００２５】
また、本実施形態では、パネル４００の表面に、第２スコア線４５０が形成されている。なお、この第２スコア線４５０も、パネル４００の表面に形成された溝により構成されており、パネル４００の破断を誘導する役割を果たす。第２スコア線４５０は、第１仮想線ＫＬ１を挟み相対する２つの領域のうちの、頂部４３３Ａ（第１スコア線４３０の頂部４３３Ａ）が設けられている領域内に設けられている。
【００２６】
また、第２スコア線４５０は、一端部４５１および他端部４５２を有している。ここで第２スコア線４５０の他端部４５２は、第１スコア線４３０の湾曲部４３３に接続されている。このため、本実施形態では、第１スコア線４３０と第２スコア線４５０とが接続する箇所にて、スコア線が分岐するようになっている。
【００２７】
第２スコア線４５０についてさらに説明すると、第２スコア線４５０の他端部４５２は、第１スコア線４３０の湾曲部４３３のうちの、中心線ＣＬと第１仮想線ＫＬ１との間に位置する部位に接続されている。さらに詳細に説明すると、第２スコア線４５０の他端部４５２は、第１スコア線４３０のうちの、頂部４３３Ａと他端部４３２との間に位置する部位に接続されている。さらに説明すると、第２スコア線４５０の他端部４５２は、第１スコア線４３０のうち、頂部４３３Ａが設けられている箇所以外の箇所に接続されている。
【００２８】
さらに説明すると、第１スコア線４３０と第２スコア線４５０との接続部は、中心線ＣＬと第１スコア線４３０とが交差する交差箇所ＫＰ以外の箇所に設けられている。また、本実施形態では、第２スコア線４５０は、第１スコア線４３０との接続部から、第１スコア線４３０により囲まれている領域内に向かうように設けられている。また、本実施形態では、中心線ＣＬと直交する関係で配置された第１仮想線ＫＬ１よりも上記交差箇所ＫＰが設けられている側に、第１スコア線４３０と第２スコア線４５０との接続部が設けられている。さらに説明すると、中心線ＣＬと直交する関係で配置された第１仮想線ＫＬ１よりも領域ＲＡが位置する側に、第１スコア線４３０と第２スコア線４５０との接続部が設けられている。
【００２９】
また、本実施形態では、第１スコア線４３０と第２スコア線４５０との接続部と、第１スコア線４３０の一端部４３１との距離の方が、接続部と第１スコア線４３０の他端部４３２との距離よりも大きくなっている。付言すると、第１スコア線４３０のうちの一端部４３１と上記接続部との間に位置する部位の長さの方が、第１スコア線４３０のうちの他端部４３２と上記接続部との間に位置する部位の長さよりも大きくなっている。
なお、本実施形態では、図中右下方向に向かうように第２スコア線４５０が設けられている場合を説明したが、第２スコア線４５０は、図中左下方向に向かうように設けてもよい。この場合、第２スコア線４５０は、第１スコア線４３０のうちの頂部４３３Ａと一端部４３１との間に位置する部位に接続されることになる。
【００３０】
一方、第２スコア線４５０の一端部４５１は、突出部４２０の近傍に設けられている。さらに説明すると、第２スコア線４５０の一端部４５１は、中心線ＣＬを挟んで相対する２つの領域のうちの一方の領域側に配置され、第２スコア線４５０の他端部４５２はこの２つの領域のうちの他方の領域側に配置されている。さらに説明すると、第２スコア線４５０は、他端部４５２から突出部４２０に向かう直線部４５３を有している。さらに、第２スコア線４５０は、湾曲部４５４を有している。この湾曲部４５４は、直線部４５３に接続されるとともに円柱状に形成された突出部４２０との間に距離を有して配置され且つ突出部４２０に沿うように設けられている。
【００３１】
ここで、湾曲部４５４は、突出部４２０と第１スコア線４３０との間に形成されている。より詳細には、第１スコア線４３０の頂部４３３Ａと突出部４２０との間に形成されている。付言すると、中心線ＣＬ上において、突出部４２０と第１スコア線４３０との間に、第２スコア線４５０の湾曲部４５４が配置されている。
【００３２】
また、湾曲部４５４は、パネル４００のうちのタブ５００により押圧される領域ＲＡ（タブ５００により押圧される押圧部位）と突出部４２０との間を通過するように設けられている。付言すると、本実施形態では、上記領域ＲＡよりも突出部４２０（リベット９００）が設けられている側を通るように第２スコア線４５０が設けられるとともに、この第２スコア線４５０は、上記領域ＲＡと突出部４２０との間を通過するように設けられている。
【００３３】
また、本実施形態では、第２スコア線４５０の湾曲部４５４は、タブ５００により押圧される領域ＲＡと突出部４２０とを通る上記中心線ＣＬ（領域ＲＡと突出部４２０とを通る直線）と交差するように設けられている。さらに説明すると、本実施形態における第２スコア線４５０は、領域ＲＡと突出部４２０との間を通過した後、中心線ＣＬと交差する方向に沿って進行し、第１スコア線４３０に接続される。付言すると、本実施形態における第２スコア線４５０は、中心線ＣＬの配設方向と交差する方向に沿うように形成されている。
【００３４】
さらに説明すると、中心線ＣＬと交差する方向に向かって進行する第２スコア線４５０は、領域ＲＡが位置する側および突出部４２０が設けられている側のうちの領域ＲＡが位置する側に次第に近づくように進行を行う。より具体的には、領域ＲＡが位置する側に、第２スコア線４５０の直線部４５３が次第に近づくように、第２スコア線４５０は第１スコア線４３０に向かって進んでいく。
【００３５】
さらに説明すると、第２スコア線４５０は、領域ＲＡと突出部４２０との間を通過した後、第１仮想線ＫＬ１から次第に離れるように進行し、第１スコア線４３０に接続される。なお、このとき第２スコア線４５０は、領域ＲＡの脇を通過していく。付言すると、第２スコア線４５０は、領域ＲＡと突出部４２０との間を通過した後、第１スコア線４３０の頂部４３３Ａとパネル４００の中心部ＣＰとを通る直線に直交する直線であって突出部４２０を通る直線である第１仮想線ＫＬ１から次第に離れるように進行し、且つ、領域ＲＡの脇を通過し、第１スコア線４３０に接続される。
【００３６】
ここで、図３（パネル４００の状態を説明するための図）も参照しながら、タブ５００が操作された際のパネル４００の状態を説明する。なお、図３（Ａ）〜（Ｅ）の各々では、パネル４００を正面から眺めた図を表示している。また、図３（Ａ）〜（Ｅ）の各々では、タブ５００の図示を省略している。
【００３７】
本実施形態では、タブ５００の後端部がユーザにより持ちあげられた際、タブ５００の第２の縁部５０２（図１参照）が、第２スコア線４５０の湾曲部４５４と第１スコア線４３０の頂部４３３Ａとの間に位置する上記領域ＲＡ（図２参照）を押圧する。そして領域ＲＡがタブ５００により押圧されると、まず、この領域ＲＡとリベット９００（突出部４２０）との間を通過するように設けられた第２スコア線４５０の湾曲部４５４にてパネル４００が破断する（図３の（Ｂ）参照）。その後、本実施形態では、第２スコア線４５０に沿ってパネル４００の破断が進行し、第１スコア線４３０と第２スコア線４５０との接続部まで、パネル４００が破断した状態となる。
【００３８】
ここで、本実施形態では、第１スコア線４３０と第２スコア線４５０との上記接続部にて、スコア線が分岐した状態となっている。このため、第２スコア線４５０の上記湾曲部４５４から上記接続部までパネル４００の破断が進行した後、本実施形態では、図３の（Ｃ）に示すように、接続部から第１スコア線４３０の一端部４３１に向かう破断が進行する。また、図３の（Ｄ）に示すように、接続部から第１スコア線４３０の他端部４３２に向かう破断も進行する。
【００３９】
その後、タブ５００の後端部がユーザにより更に持ち上げられることで、第１スコア線４３０の一端部４３１および他端部４３２までパネル４００の破断がさらに進行する。これにより、第１スコア線４３０により囲まれていた領域が上述した舌片部となる。また、舌片部の根元（第１スコア線４３０の一端部４３１と他端部４３２との間に位置する箇所）にて舌片部は折り曲げられ、図３（Ｅ）に示すように、舌片部は飲料缶１００の内部に進入する。これにより、飲料缶１００には飲み口として機能する開口が形成される。なお詳細は後述するが、引き起こされたタブ５００が元の状態に戻される際には、タブ５００が折れ曲がる。
【００４０】
ここで、第１スコア線４３０および第２スコア線４５０にて生じるパネル４００の破断について、図４（パネル４００にて生じる破断を説明するための図）を参照しながら更に説明する。本実施形態では、上記のとおり、タブ５００の後端部がユーザにより持ちあげられることにより、第２スコア線４５０の湾曲部４５４と第１スコア線４３０の頂部４３３Ａとの間に位置する上記領域ＲＡ（図２参照）がタブ５００により押圧される。
【００４１】
付言すると、第１スコア線４３０により囲まれている領域のうち、第２スコア線４５０よりも第１スコア線４３０の頂部４３３Ａ側の位置する領域がタブ５００に押圧される。これにより、まず、第２スコア線４５０の湾曲部４５４にてパネル４００が破断する。その後、第２スコア線４５０に沿ってパネル４００の破断が進行し、第１スコア線４３０と第２スコア線４５０との接続部（交点）まで破断が進行する。
【００４２】
その後、タブ５００の第２の縁部５０２がパネル４００のうちの領域ＲＡ（図２参照）を更に押圧することで、第１スコア線４３０に沿ってパネル４００の破断が進行し、図４の符号４Ｃに示す箇所までパネル４００の破断が生じた状態となる。付言すると、突出部４２０を通る第１仮想線ＫＬ１（図２参照）と第１スコア線４３０とが交わる箇所あたりまで、パネル４００の破断が生じた状態となる。
【００４３】
これにより、図４における領域４Ａに、開口が形成される。付言すると、第２スコア線４５０におけるパネル４００の破断、および、第１スコア線４３０のうちの上記接続部よりも一端部４３１側に位置する部位におけるパネル４００の破断により、パネル４００の一部に小さい開口（以下、「小開口」と称する）が形成される。
【００４４】
次いで、本実施形態では、タブ５００の後端部がユーザによりさらに持ちあげられることで、タブ５００が上記小開口を通じ、飲料缶１００の内部に進入するようになる。そしてこのとき、タブ５００が、図４の符号４Ｅに示す箇所を押圧するようになる。付言すると、小開口の縁部を押圧するようになる。さらに説明すると、パネル４００のうち、第２スコア線４５０が存在していた箇所の上方に位置する領域４Ｂを押圧するようになる。さらに説明すると、第１スコア線４３０のうち上記接続部よりも他端部４３２側に位置する部位と、第２スコア線４５０との間に位置する領域がタブ５００により押圧されるようになる。
【００４５】
これにより、本実施形態では、第１スコア線４３０に沿ってパネル４００の破断が進行し、符号４Ｄに示す箇所までパネル４００が破断するようになる。付言すると、突出部４２０を通る第１仮想線ＫＬ１（図２参照）と第１スコア線４３０とが交わる箇所あたりまで、パネル４００の破断が生じた状態となる。さらに説明すると、第１スコア線４３０のうちの上記接続部よりも他端部４３２側に位置する部位にてパネル４００の破断が起こり、符号４Ｄに示す箇所までパネル４００が破断するようになる。
【００４６】
その後、本実施形態では、タブ５００の後端部がユーザによりさらに持ちあげられることで、上記にて説明した舌片部に対して回転モーメントが作用するようになり（詳細は後述）、第１スコア線４３０にてパネル４００の破断がさらに生じるようになる。具体的には、第１スコア線４３０のうちの上記符号４Ｃに示す箇所と一端部４３１との間に位置する第１部位、および、第１スコア線４３０のうちの上記符号４Ｄに示す箇所と他端部４３２との間に位置する第２部位の両部位にて、パネル４００の破断が発生する。
【００４７】
その後、上記のとおり、舌片部の根元（第１スコア線４３０の一端部４３１と他端部４３２との間に位置する箇所）にて舌片部は折り曲げられ、図３（Ｅ）に示したように、舌片部は飲料缶１００の内部に進入する。これにより飲料缶１００に開口が形成される。
【００４８】
なお、本実施形態では、中心線ＣＬを対称軸として第１スコア線４３０は線対象となる関係で配置されている。このため、符号４Ｃに示す箇所から一端部４３１へ向かってのパネル４００の破断、および、符号４Ｄに示す箇所から他端部４３２へ向かってのパネル４００の破断は、ほぼ同じタイミングで発生する。付言すると、符号４Ｃに示す箇所から一端部４３１へ向かうパネル４００の破断、および、符号４Ｄに示す箇所から他端部４３２へ向かうパネル４００の破断が同時に進行していく。
【００４９】
ここで、本実施形態では、上記のとおり、第２スコア線４５０にてパネル４００の破断がまず発生する。次いで、本実施形態では、第１スコア線４３０のうち、上記接続部と符号４Ｃに示す箇所との間に位置する部位にてパネル４００の破断が発生する。その後、第１スコア線４３０のうち、上記接続部と符号４Ｄに示す箇所との間に位置する部位にてパネル４００の破断が発生する。付言すると、本実施形態では、上記接続部から第１スコア線４３０の一端部４３１に向かってのパネル４００の破断、および、上記接続部から第１スコア線４３０の他端部４３２に向かってのパネル４００の破断が同時におこらず、時間的にずれた状態でパネル４００の破断が起こる。
【００５０】
さらに説明すると、本実施形態では、タブ５００の中心線ＣＬ上に、第１スコア線４３０と第２スコア線４５０との接続部が位置しておらず、中心線ＣＬから外れた位置に、第１スコア線４３０と第２スコア線４５０との接続部が位置する状態となっている。このため、接続部から一端部４３１に向かってのパネル４００の破断、および、接続部から他端部４３２に向かってのパネル４００の破断が同時におこらず、時間的にずれた状態でパネル４００の破断が起こる。
【００５１】
詳細には、接続部から一端部４３１に向かっての破断がまず起こり、次いで、接続部から他端部４３２に向かっての破断が起こる。このため、本実施形態では、一端部４３１に向かってのパネル４００の破断、および、他端部４３２に向かってのパネル４００の破断が同時に起きる場合に比べ、開口をパネル４００に形成する際のタブ５００の操作荷重が小さくなる。
【００５２】
さらに説明すると、本実施形態では、ユーザによりタブ５００が操作され、タブ５００の先端部（第２の縁部５０２）がパネル４００を押圧する際、この先端部は、第２スコア線４５０よりも下方に位置する部位（第２スコア線４５０よりも頂部４３３Ａ側に位置する部位）を押圧し、第２スコア線４５０より上方に位置する部位を押圧しない。
【００５３】
付言すると、本実施形態では、第２スコア線４５０よりも下方に位置する部位、および、第２スコア線４５０よりも上方に位置する部位の両者がタブ５００により同時に押圧される構成ではなく、第２スコア線４５０よりも下方に位置する部位のみにタブ５００が接触しこの部位のみがタブ５００により押圧される構成となっている。さらに説明すると、本実施形態では、上記領域４Ｂとタブ５００との接触が、パネル４００に対して上記小開口が形成された後に起こるようになっている。
【００５４】
このため本実施形態では、上記接続部から第１スコア線４３０の一端部４３１に向かってのパネル４００の破断、上記接続部から第１スコア線４３０の他端部４３２に向かってのパネル４００の破断が同時におこらず、時間的にずれた状態でパネル４００の破断が起こる。これにより、パネル４００の破断が同時に起こる場合に比べ、タブ５００を引き上げる際のタブ５００の操作荷重が小さくなる。
【００５５】
なお、本実施形態では、符号４Ｃに示す箇所から一端部４３１へ向かってのパネル４００の破断、および、符号４Ｄに示す箇所から他端部４３２へ向かってのパネル４００の破断は、ほぼ同じタイミングで発生する。ところで、この破断が起きる際には、タブ５００のパネル４００に対する角度が大きくなっている。このためこの場合は、タブ５００の操作荷重はあまり大きくならずタブ５００の操作性の低下は抑えられる。
【００５６】
なお、上記では説明を省略したが、本実施形態では、図２に示すように、第１スコア線４３０の一端部４３１と他端部４３２との間に位置する領域に、溝６００が設けられている。この溝６００は、円弧を描き湾曲して形成されるとともに第１スコア線４３０の一端部４３１が設けられている側から他端部４３２が設けられている側に向かうように設けられている。このため、本実施形態における飲料缶１００では、舌片部の折れ曲がりが生じやすくなっている。また、本実施形態では、溝６００が湾曲して形成されているため、曲がった舌片部が元の状態に戻りにくくなっている。
【００５７】
なお、溝６００は、図５に示す形状としてもよい。
図５は、溝６００の他の形態の一例を示した図である。溝６００は、例えば、同図（Ａ）に示すように、パネル４００の表面と略直交する関係を有する第１側面６２１、第２側面６２２、および、第１側面６２１と第２側面６２２とを接続する平坦な底面６２３とを有する形状で形成することができる。なお、溝６００の底部には、同図（Ｂ）に示すように曲率を付与してもよい。
【００５８】
また、溝６００は、同図（Ｃ）に示すように、断面が三角形となる形状で形成することもできる。また、上記では、溝６００を形成することで、舌片部の根元の剛性を低下させたが、同図（Ｄ）に示すように、曲げ加工を舌片部の根元に対して施すことで、剛性を低下させてもよい。また、本実施形態では、図４にて示したように、溝６００を、突出部４２０が設けられている側とは反対側に向かって膨らむように形成したが、突出部４２０が設けられている側に向かって膨らむように溝６００を形成してもよい。なお、本実施形態では、溝６００が設けられている態様を説明したが、溝６００は必ずしも必要ではなく溝６００は省略することもできる。
【００５９】
また、本実施形態では、上記のとおり、パネル４００のうちのタブ５００により押圧される領域ＲＡと突出部４２０との間を通過するように第２スコア線４５０が設けられている場合を例示したが、第２スコア線４５０の配置態様はこのような態様に限られない。例えば、図６（パネル４００の他の構成例を示した図）に示すように、領域ＲＡと突出部４２０との間を通過しない第２スコア線４５０を設けることもできる。さらに、上記では、第２スコア線４５０が略直線で記載されているが、直線に限定されるものではなく、曲線その他の線であっても構わない。
【００６０】
次に、タブ５００について詳細に説明する。
図７は、タブ５００の構成を説明するための図である。図８は、飲料缶１００に開口が形成される際のタブ５００の動きを示した図である。なお、図７（Ａ）はタブ５００の正面図であり、同図（Ｂ）はタブ５００の斜視図である。
【００６１】
本実施形態におけるタブ５００は、図７（Ａ）、（Ｂ）に示すように、略矩形状に形成され且つ板状に形成されたタブ本体部５２０を有している。なお、本実施形態では、このタブ本体部５２０の外周縁に対して曲げ加工（カール加工）が施され、タブ本体部５２０の外周縁が内側にカールした状態となっている。付言すると、タブ本体部５２０に四方に設けられている縁部には、カール部が形成されている。これにより、本実施形態のタブ５００は、曲げ剛性が高められている。また、タブ５００の外周縁の曲げ加工の断面の形状であるが、本実施形態のように略円形に限定されず、楕円、矩形、三角、多角形状であってもよい。
【００６２】
さらに、タブ５００には、パネル４００の押圧を行う第２の縁部５０２が設けられている側とは反対側（タブテール側）に、ユーザの指が引っ掛けられる貫通孔（フィンガーホール）５３０が形成されている。なお、この貫通孔５３０は省略してもよい。また、タブ５００には、タブ５００の先端部側（第２の縁部５０２側）に、パネル４００に設けられた突出部４２０（図２参照）が挿入される挿入孔５４０が形成されている。
【００６３】
また、本実施形態では、タブ本体部５２０の四方に設けられた４つのカール部のうちタブ５００の長手方向に沿って設けられたカール部に、第１カール部スリット５２１が形成されている。付言すると、本実施形態のタブ５００は、第１の縁部５０１から第２の縁部５０２に向かうように形成された第１の側辺５０３と、同じく第１の縁部５０１から第２の縁部５０２に向かうように形成されるとともに第１の側辺５０３とは反対側に配置された第２の側辺５０４とを備え、本実施形態では、第２の側辺５０４に沿うように設けられたカール部に、第１カール部スリット５２１が形成されている。
また、４つのカール部のうちタブ５００の長手方向に沿って設けられたもう一つのカール部に、第２カール部スリット５２２が形成されている。付言すると、第１の側辺５０３に沿うように設けられたもう一つのカール部に、第２カール部スリット５２２が形成されている。
さらに、タブ本体部５２０のうち、第１カール部スリット５２１と第２カール部スリット５２２との間に位置する部位には、溝５２３が形成されている。また、第１カール部スリット５２１の端部が位置する箇所、および、第２カール部スリット５２２の端部が位置する箇所には、応力集中を緩和するため、円形の打ち抜き加工が施されている。
【００６４】
ここで、第１カール部スリット５２１、第２カール部スリット５２２、溝５２３は、タブ５００の短手方向に沿った状態で設けられている。また、第１カール部スリット５２１、第２カール部スリット５２２、溝５２３は、同一の直線状に載るように配置されている。また、第１カール部スリット５２１、第２カール部スリット５２２、溝５２３は、挿入孔５４０と貫通孔５３０との間に配置されている。ここで、本実施形態では、このように第１カール部スリット５２１、第２カール部スリット５２２、溝５２３が形成されており、これらが形成された部分の剛性（曲げ剛性）が低下している。
【００６５】
本実施形態において、第１カール部スリット５２１および第２カール部スリット５２２を観察すると、スリット加工内部では同じ形状をしたタブ５００のカール部の断面が互いに向き合った状態で対峙している。このとき、タブ５００の第１の縁部５０１側にタブを引き上げる方向に荷重を加えると、第１カール部スリット５２１および第２カール部スリット５２２では、前記断面どうしが当接し、互いに圧縮方向の荷重を受け、前記引き上げる方向の荷重に対抗する。これは、パネル４００に開口を形成しようとして、タブ５００を引き上げるとき、タブ５００は第１カール部スリット５２１と第２カール部スリット５２２の間のタブ本体部５２０の部位から屈曲しようとするが、前記第１カール部スリット５２１と第２カール部スリット５２２で対峙するカール部が前記圧縮方向の荷重に耐えることにより、前記屈曲が阻害され、タブ５００の長手方向の曲げ剛性が確保されタブ５００は屈曲を免れる。その結果、タブ５００の第２の縁部５０２側がパネル４００を押圧し、パネル４００に開口が形成される。開口が形成された後、引き起こされたタブ５００は、パネル４００に対し略垂直方向を向き、タブ５００の第１の縁部５０１側はパネル４００上面から突出した状態になる。このため、前記第１の縁部５０１側を前記引き上げる方向とは逆の方向に曲げようとして、タブ５００の第１の縁部５０１側に、戻す方向の荷重を加えると、第１カール部スリット５２１と第２カール部スリット５２２を繋ぐタブ本体部５２０から屈曲しようとするが、この場合の屈曲は、前記引き上げる場合と違い、タブ５００のカール部の断面が離れる方向の屈曲であるため、第１カール部スリット５２１および第２カール部スリット５２２でのカール部の対峙は、この屈曲を妨げる要素とならず、前記第１カール部スリット５２１と第２カール部スリット５２２の間のタブ本体部５２０の部位からタブ５００は屈曲するようになる。このとき、溝５２３が形成されていると、前記屈曲はさらにしやすくなる。
このため、本実施形態では、タブ５００の後端部側に荷重を加えるとタブ５００が折れ曲がるようになる。これにより、本実施形態では、ユーザによって引き起こされたタブ５００が元の状態に戻るように操作された際に、タブ５００が折れ曲がり、タブ５００の先端部側が飲料缶１００の内部に入り込んだ状態が維持されるようになる。なお、本実施形態では、第１カール部スリット５２１と第２カール部スリット５２２との間に溝５２３を形成してこの部分の剛性を低下させたが、このような溝に限らず、例えば曲げ加工を施すことで剛性を低下させることができる。また、溝５２３は必ずしも必要ではなく、溝５２３は省略することもできる。
【００６６】
また、本実施形態では、タブ本体部５２０に対して、タブ本体部５２０を貫通するように設けられた第１本体部スリット７３１〜第３本体部スリット７３３が設けられている。ここで、第１本体部スリット７３１〜第３本体部スリット７３３は、円形に形成された挿入孔５４０の外周縁に沿うように円弧を描いた状態で形成されている。付言すると、挿入孔５４０が設けられている箇所（タブ５００のうちのパネル４００に対して接続される箇所）を中心として、円弧を描くように形成されている。なお、第１本体部スリット７３１〜第３本体部スリット７３３の形状は、円弧形状に限定されるわけではない。必要に応じて、図７（Ｃ）、（Ｄ）で示したように円弧形状以外の形状でもよい。
図７（Ｃ）では、第２本体部スリット７３２および第３本体部スリット７３３の各々は、第１直線部９１と第２直線部９２とから構成されている。ここで、第１直線部９１は、タブ５００の長手方向に沿うように形成され、第２直線部９２は、タブ５００の短手方向に沿うように形成されている。また、第１本体部スリット７３１は、第１直線部９３、第２直線部９４、第３直線部９５とから構成されている。ここで、第１直線部９３および第２直線部９４は、タブ５００の長手方向に沿うように形成されている。また、第３直線部９５は、タブ５００の短手方向に沿うように形成されているとともに、第１直線部９３と第２直線部９４とを接続している。
また、図７（Ｄ）では、図７（Ｃ）と同様、第１直線部９１と第２直線部９２とが設けられているが、図７（Ｄ）では、第２直線部９２は、タブ５００の長手方向および短手方向に対して傾斜した状態で配置されている。また、図７（Ｄ）では、第３直線部９５（図７（Ｃ）参照）が省略されるとともに、第１直線部９３および第２直線部９４が、タブ５００の長手方向および短手方向に対して傾斜した状態で配置されている。
【００６７】
ここで、図７（Ａ）、（Ｂ）に示すように、第１の貫通孔の一例としての第１本体部スリット７３１は、第２の貫通孔の一例としての第２本体部スリット７３２よりも挿入孔５４０に近い側に設けられ、また、第１本体部スリット７３１は、第３の貫通孔の一例としての第３本体部スリット７３３よりも挿入孔５４０に近い側に設けられている。また、第２本体部スリット７３２および第３本体部スリット７３３は、上記のとおり、挿入孔５４０の外周縁に沿うように円弧を描いた状態で形成されるとともに、挿入孔５４０から等距離の箇所を通るように設けられている。なお、第１本体部スリット７３１も同様であり、挿入孔５４０から等距離の箇所を通るように設けられている。
【００６８】
さらに説明すると、第１本体部スリット７３１は、挿入孔５４０よりもタブ５００の後端部側（第１の縁部５０１側）に設けられている。付言すると、第１本体部スリット７３１は、タブ５００の第１の縁部５０１と挿入孔５４０との間に設けられている。
また、第２本体部スリット７３２および第３本体部スリット７３３の各々は、一端７５１および他端７５２を有している。ここで、一端７５１は、挿入孔５４０よりも、タブ５００の第２の縁部５０２側に位置している。また、他端７５２は、挿入孔５４０よりも、タブ５００の第１の縁部５０１側に位置している。また、この他端７５２は、第１本体部スリット７３１とタブ５００の第１の縁部５０１側の間をタブ５００の中心線ＣＬ（図１も参照）に向かう位置に配置されている。さらに説明すると、この他端７５２は、第１本体部スリット７３１とタブ５００の第１の縁部５０１との間に位置する領域内に設けられている。
【００６９】
また、第２本体部スリット７３２は、上記一端７５１が位置する箇所から、挿入孔５４０と第１本体部スリット７３１の一方の脇を通り、第１本体部スリット７３１とタブ５００の第１の縁部５０１の間をタブ５００の中心線ＣＬに向かうように形成されている。さらに説明すると、第２本体部スリット７３２は、上記一端７５１が位置する箇所から、挿入孔５４０とタブ５００の第１の側辺５０３との間を通り且つ第１本体部スリット７３１とタブ５００の第１の側辺５０３との間を通り、タブ５００の第１の縁部５０１側に向かうように形成されるとともに、タブ５００の第２の側辺５０４側に向かうように形成されている。
また、第３本体部スリット７３３も、上記一端７５１が位置する箇所から、挿入孔５４０と第１本体部スリット７３１の他方の脇を通り、第１本体部スリット７３１とタブ５００の第１の縁部５０１の間をタブ５００の中心線ＣＬに向かうように形成されている。付言すると、第３本体部スリット７３３は、上記一端７５１が位置する箇所から、挿入孔５４０とタブ５００の第２の側辺５０４との間を通り且つ第１本体部スリット７３１とタブ５００の第２の側辺５０４との間を通り、タブ５００の第１の縁部５０１側に向かうように形成されるとともに、タブ５００の第１の側辺５０３側に向かうように形成されている。
また、本実施形態では、上記のとおり、第１本体部スリット７３１とタブ５００の第１の縁部５０１との間をタブ５００の中心線ＣＬに向かうように他端７５２が位置しており、第２本体部スリット７３２および第３本体部スリット７３３は、上記一端７５１を始点として、第１本体部スリット７３１とタブ５００の第１の縁部５０１との間をタブ５００の中心線ＣＬに向かって延びた状態となっている。
【００７０】
さらに説明すると、円弧を描くように形成された第２本体部スリット７３２および第３本体部スリット７３３の各々は、挿入孔５４０からの距離が第１本体部スリット７３１よりも大きくなる箇所を通過するように設けられるとともに、第１本体部スリット７３１と第１の縁部５０１との間をタブ５００の中心線ＣＬに近づく領域まで延びている。さらに説明すると、第２本体部スリット７３２および第３本体部スリット７３３の各々は、挿入孔５４０から予め定められた離間距離だけ離れた箇所を通過するように設けられるとともに、第１本体部スリット７３１と挿入孔５４０との距離よりもこの離間距離の方が大きくなる箇所を通過するように設けられ、且つ、第１本体部スリット７３１と第１の縁部５０１との間をタブ５００の中心線ＣＬに近づく領域まで延びている。
【００７１】
また、第１本体部スリット７３１は、タブ５００の中心線ＣＬ（図１も参照）上に設けられるとともに、この中心線ＣＬを対称軸として線対称となる形状で形成されている。また、第２本体部スリット７３２は、タブ５００の中心線ＣＬを挟んで相対する二つの領域のうちの一方の領域側に配置され、第３本体部スリット７３３は、他方の領域側に配置されている。また、第２本体部スリット７３２および第３本体部スリット７３３は、タブ５００の中心線ＣＬを対称軸として線対称となる関係で配置されている。
【００７２】
ここで、このように、線対称となる形状で第１本体部スリット７３１が形成され、また、線対称となる関係で第２本体部スリット７３２および第３本体部スリット７３３が設けられている場合、タブ５００の引き起こしがユーザによりなされた際にタブ５００が傾くことが抑制される。より具体的に説明すると、タブ５００の短手方向における一端部側が他端部側よりも上方に位置しタブ５００が傾くことが起きにくくなる。
【００７３】
また、上記では説明を省略したが、本実施形態では、第２本体部スリット７３２の他端７５２と、第３本体部スリット７３３の他端７５２とは接続していない。これにより、本実施形態では、第２本体部スリット７３２の他端７５２と、第３本体部スリット７３３の他端７５２との間に、タブ本体部５２０により構成され、第２本体部スリット７３２の他端７５２と、第３本体部スリット７３３の他端７５２との間に介在する介在部７２８が設けられた状態となっている。
【００７４】
図８を参照しながらタブ５００の動きについて説明する。なお、図８では、タブ５００の中心線ＣＬ（図１参照）における断面の状態を図示している。
本実施形態の飲料缶１００では、まず、タブ５００の後端部とパネル４００との間にユーザの指が挿入され、図８（Ａ）、（Ｂ）に示すように、タブ５００の後端部の引き起こしが行われる。ここで、この引き起こしが行われると、同図（Ｂ）に示すように、タブ５００の後端部側がパネル４００から浮くようになる。また、タブ５００の先端部側において、パネル４００と当接しているタブ５００の先端を除くタブ５００の先端部側もパネル４００から浮くようになる。これは、図７（Ａ）および図８（Ｂ）に示すように、第１本体部スリット７３１を形成することにより、符号７Ｄで示す領域が、挿入孔５４０の拘束を受けにくくなっていることと、第２本体部スリット７３２および第３本体部スリット７３３の他端７５２が第１本体部スリット７３１と第１の縁部５０１側の間をタブ５００の中心線ＣＬに向かう領域まで延びているため、符号７Ｄで示す領域に変形の自由度が与えられ、タブ５００の後端部を引き起こすことにより図７（Ａ）で示す介在部７２８がパネル４００から離れ、符号７Ｄの領域はタブ本体部５２０から独立して変形可能となり、第１本体部スリット７３１の両端部付近を含め介在部７２８も含む符号７Ｄの領域が湾曲するように変形することにより、図８（Ｂ）に示すような前記スリット７３１の状態を可能とした。さらに、図７（Ａ）に示すように第２本体部スリット７３２および第３本体部スリット７３３の一端７５１が挿入孔５４０と第２の縁部５０２側の間に形成されていることにより、タブ５００の屈曲は前記一端７５１を結ぶ符号７Ｅから開始するようになり、タブ５００の先端部側がパネル４００から浮くようになる。
【００７５】
ここで、タブ５００の先端部側がパネル４００から浮くと、図８（Ｂ）の符号８Ａに示すように、タブ本体部５２０のうち、リベット９００よりも、パネル４００と当接しているタブ５００の先端を除くタブ５００の先端部側に位置する部位が上方へ移動しようとする。これにより、リベット９００のうちのタブ５００の先端部側に位置する部位である、同図（Ｂ）に示すリベット９００の左端について、上方へ持ち上げようとする荷重（図中矢印８Ｂ参照）が作用するようになる。また、タブ５００の引き起こしが行われた場合には、タブ５００の先端部がパネル４００に対して押し付けられるようになる。
【００７６】
この結果、本実施形態では、タブ５００の先端部とリベット９００との間を通るように設けられた第２スコア線４５０に対してせん断力が作用するようになる。そして、このせん断力により、第２スコア線４５０が設けられている箇所において、パネル４００の破断が発生する。そして、タブ５００の後端部の引き上げが更に行われることで、上記にて説明したしたとおり、第１スコア線４３０でもパネル４００の破断が発生する。
【００７７】
なお、上記にて説明したとおり（図７（Ａ）にて示したとおり）、本実施形態では、第２本体部スリット７３２および第３本体部スリット７３３の各々に設けられた一端７５１が、挿入孔５４０よりもタブ５００の先端部側に位置する構成となっている。そして本実施形態では、このような構成が採用されているため、タブ５００の先端を除く先端部側もパネル４００から浮くようになり、図８（Ｂ）に示すように、タブ５００の全体がパネル４００に対して傾くようになる。そして、この傾きが生じることで、ユーザの指が、タブ５００の後端部とパネル４００との間に挿入されるようになる。
【００７８】
より具体的に説明すると、本実施形態では、第２本体部スリット７３２および第３本体部スリット７３３の各々に設けられた一端７５１が、挿入孔５４０よりもタブ５００の先端部側に位置している。そして、この場合、この一端７５１と挿入孔５４０との間に位置する領域（図７（Ａ）にて斜線で示す領域７Ａ）が、タブ５００の引き上げが開始された際に、図８（Ｂ）の符号８Ａに示すように、パネル４００から浮き上がるようになる。この結果、タブ５００の先端を除く先端部側がパネル４００から浮き、これにより、タブ５００の全体がパネル４００に対して傾くようになる。
【００７９】
なお、上記領域７Ａに位置する部位が存在しない場合（例えば、第２本体部スリット７３２および第３本体部スリット７３３が短く形成され、上記一端７５１が、図７（Ａ）にて示した位置よりも図中右方に位置している場合）は、タブ５００の先端部側がパネル４００から浮きにくくなり、これにより、タブ５００の後端部側もパネル４００から浮きにくくなる。そして、この場合、ユーザの指が、タブ５００とパネル４００との間に入りにくくなり、タブ５００の操作性が低下しやすくなる。
【００８０】
ここで、上記では説明を省略したが、本実施形態では、第１本体部スリット７３１（図８（Ｂ）参照）が設けられているため、図８（Ｂ）の状態のとき、リベット９００の後端部側に対し、タブ５００からの荷重（ユーザからの操作荷重）が伝わりにくくなる。付言すると、リベット９００の後端部側（リベット９００のうちの、タブ５００の第１の縁部５０１側に位置する部位）を図中上方に引き上げようとする力が、リベット９００に作用しにくくなる。
【００８１】
ここで、リベット９００の後端部側を引き上げようとする力がリベット９００に作用するようになると、ユーザからの操作力が、第２スコア線４５０から離れた箇所により多く作用するようになり、第２スコア線４５０におけるパネル４００の破断が生じにくくなる。さらに説明すると、スリット７３１が設けられているタブを示す図８（Ｂ）によれば、タブ５００の第１の縁部５０１側を引き起こしたとき、リベット９００のうちタブ５００の第２の縁部５０２側に８Ｂで示す力がリベット９００に作用するようになる。一方、スリット７３１が設けられていないタブを示す図８（Ｄ）によれば、タブ５００を引き起こしたとき、リベット９００の後端部側に８Ｅで示す力がリベット９００に作用するようになる。第２スコア線４５０におけるパネル４００の破断は、タブ５００の第２の縁部５０２側のパネル４００への荷重８Ｃとリベット９００への荷重８Ｂもしくは８Ｅが互いに逆方向にかかることにより、その間に形成された第２スコア線４５０にせん断方向の力が働き破壊すると考えられている。このとき、リベット９００に作用する荷重８Ｂと８Ｅを比較すると、それぞれ荷重がかかる位置に関して、８Ｂに比べ８Ｅのほうが８Ｃの荷重がかかる位置からの距離が長くなっている。そのため、８Ｂに比べ８Ｅのほうが、第２スコア線４５０にかかるせん断方向の力が作用しにくくなる。
付言すると、第２スコア線４５０により近い部位に対してせん断力を集中的に作用させた方が、第２スコア線４５０におけるパネル４００の破断をより効率的に行うことができるが、リベット９００の後端部側に荷重がより多く作用するようになると、第２スコア線４５０から離れた箇所にも荷重が作用するようになり（ユーザからの操作荷重が分散するようになり）、第２スコア線４５０におけるパネル４００の破断が生じにくくなる。
【００８２】
このため、本実施形態では、第１本体部スリット７３１を設けることで、リベット９００の後端部に伝わるユーザからの操作荷重を低減するようにしている。さらに、第２本体部スリット７３２および第３本体部スリット７３３の一端７５１が挿入孔５４０とタブ５００の第２の縁部５０２側の間に形成されていることなどにより、ユーザからの操作力がリベット９００の先端部側に集中して作用するようになり（第２スコア線４５０により近い箇所にユーザからの操作荷重が集中して作用するようになり）、第２スコア線４５０におけるパネル４００の破断が生じやすくなる。そして、この場合、ユーザは、より小さい操作荷重で、パネル４００の破断を行うことができるようになる。
【００８３】
図８（Ｃ）を参照し、次の段階を説明する。
図８（Ｂ）の状態から、タブ５００の後端部がユーザによりさらに持ちあげられると、パネル４００の破断がさらに生じ、第１スコア線４３０のうちの、上記符号４Ｃに示す箇所（図４参照）、および、符号４Ｄに示す箇所まで、パネル４００が破断するようになる。
【００８４】
そして、本実施形態では、タブ５００の後端部がユーザにより更に持ちあげられることで、上記のとおり、舌片部の根元に向かって（第１スコア線４３０の一端部４３１（図４参照）および他端部４３２に向かって）、パネル４００の破断がさらに進行する。付言すると、上記符号４Ｃに示す箇所と一端部４３１との間に位置する第１部位、および、上記符号４Ｄに示す箇所と他端部４３２との間に位置する第２部位の両部位にて、パネル４００の破断が発生する。
【００８５】
ここで、図８（Ｃ）は、上記第１部位および上記第２部位の両部位にて、パネル４００の破断が生じる際のタブ５００の状態を示している。第１部位および第２部位の両部位にてパネル４００の破断が生じる際には、図８（Ｃ）に示すように、タブ５００のパネル４００に対する角度がより大きい状態となるとともに、タブ５００の先端部側がパネル４００に接触した状態となる。
【００８６】
そして、図８（Ｃ）の状態からタブ５００の引き起こしが行われた際には、リベット９００の後端部側を上方へ持ち上げようとする力がリベット９００に対して作用するようになる。具体的に説明すると、図８（Ｃ）の状態からタブ５００の引き起こしがさらに行われた際には、図７（Ａ）の斜線で示す領域７Ｃを介して、ユーザからの操作荷重がリベット９００の後端部に作用し、リベット９００の後端側が上方へ移動しようとする。
さらに説明すると、図７（Ａ）によれば、タブ５００の第１の縁部５０１側を引き起こしていくと、介在部７２８はパネル４００から離れる方向に移動を始める。このとき、符号７Ｄで示す領域の一部は、介在部７２８と連結しているため、介在部７２８の移動に伴い、符号７Ｄで示す領域は介在部７２８から徐々にパネル４００から離れる方向に移動を始める。この符号７Ｄに示す領域は、第１本体部スリット７３１と第２本体部スリット７３２と第３本体部スリット７３３で囲まれていて、タブ本体部５２０の拘束は受けにくいように、さらに言えば、タブ本体部５２０から独立して、独自の形状に変形することが可能となっている。そのため、介在部７２８をパネル４００から離れる方向に移動させると、それに伴い、符号７Ｄの領域は、第１本体部スリット７３１の周辺をパネル４００側に残すようにして、湾曲しながら変形し、さらに介在部７２８を頂部として伸張するようになる。この状態は、図８（Ｂ）において、領域７Ｄを含むタブ本体部５２０がパネル４００から離れている様子が示されている。しかし、前記伸張は限定的で、前記伸張が止んだ後、介在部７２８をパネル４００から離れようとする荷重は、符号７Ｄの領域と接続する領域７Ｃに伝わるようになる。領域７Ｃはリベット９００が嵌合される挿入孔５４０のタブ５００の第１の縁部５０１側に接続しているため、ユーザからの操作力の一部は、図８（Ｃ）で示すリベット９００の右側であるリベット９００の後端部側を引き上げようとする力となる。また、この力は、リベット９００の右側のパネル４００を引き上げようとする力となる。一方、リベット９００の左側のパネル４００には、タブ５００の先端がパネル４００を押し下げようとする力が働いている。
【００８７】
この結果、本実施形態では、パネル４００に対し、矢印８Ｄ（図８（Ｃ）参照）で示す回転モーメントが作用するようになり、この回転モーメントによって、舌片部が飲料缶１００の内部に進入していく。付言すると、上記符号４Ｃに示す箇所（図４参照）と一端部４３１との間に位置する上記第１部位、および、上記符号４Ｄに示す箇所と他端部４３２との間に位置する上記第２部位の両部位にて、パネル４００の破断が発生するとともに、舌片部が飲料缶１００の内部に進入していく。
ここで、リベット９００にかかる荷重について整理すると、図８（Ｂ）で示す荷重８Ｂは、主に、図４における領域４Ａおよび４Ｂの開口形成の過程でリベット９００の先端部側にかかる荷重である。図４における領域４Ａおよび４Ｂの開口が形成されると、前述した符号７Ｄの伸張が止み、タブ５００は、一定の傾きを有するまで引き起こされた状態となる。その後、さらにタブ５００を引き起こすと、符号７Ｄの領域と領域７Ｃを介して荷重は、主にリベット９００の後端部側にかかるようになる。このようにして、図８（Ｃ）で示す回転モーメント８Ｄが作用するようになる。
【００８８】
なお、本実施形態では、介在部７２８（図７（Ａ）参照）を用い、ユーザからの操作荷重をリベット９００の後端部に伝えている。ここで、この介在部７２８が設けられていない場合、付言すると、第２本体部スリット７３２と第３本体部スリット７３３とがつながっている場合、タブ５００は、第２本体部スリット７３２の一端７５１（図７（Ａ）参照）と第３本体部スリット７３３の一端７５１とを通る直線（図７（Ａ）の符号７Ｅで示す直線参照）を中心に回転しようとする。かかる場合、リベット９００の後端部に加わる荷重が低減し、上記舌片部に作用する回転モーメントは小さくなる。
【００８９】
ここで、本実施形態では、上記のとおり、ユーザによるタブ５００の操作の初期段階においては、リベット９００の先端部側により多くの荷重が作用するようになる。これにより、第２スコア線４５０に対して荷重が集中的に作用し、第２スコア線４５０におけるパネル４００の破断が生じやすくなる。そして、本実施形態では、タブ５００がさらに持ち上げられることで、リベット９００の後端部側に作用する荷重が増加し、これにより、上記舌片部に対し曲げモーメントが作用する。これにより、飲料缶１００の内部に舌片部が進入し、飲料缶１００の開口がより大きなものとなる。
【００９０】
なお、本実施形態では、第１本体部スリット７３１とタブ５００の第１の縁部５０１との間をタブ５００の中心線ＣＬに向かって、第２本体部スリット７３２および第３本体部スリット７３３の他端７５２が位置している。これにより、本実施形態では、上記一端７５１を始点として、第１本体部スリット７３１とタブ５００の第１の縁部５０１との間をタブ５００の中心線ＣＬに向かう領域まで、第２本体部スリット７３２および第３本体部スリット７３３が延びる構成となっている。
【００９１】
このような構成の場合、第１本体部スリット７３１と第１の縁部５０１との間まで、第２本体部スリット７３２および第３本体部スリット７３３が延びていない場合に比べ、リベット９００の後端部を持ち上げようとする荷重を低減することができるようになる。より具体的には、タブ５００の操作が開始された際にリベット９００の後端部側に加わる荷重を低減することができるようになる。さらに説明すると、第２スコア線４５０にてパネル４００の破断を生じさせる際にリベット９００の後端側に加わる荷重を低減することができるようになる。そして、この場合、上記にて説明したとおり、第２スコア線４５０に荷重を集中的に作用させることができるようになる。
【００９２】
ここで、本実施形態では、上記のとおり、図７（Ａ）の斜線で示す領域７Ｃの部分を介して、ユーザからの操作荷重がリベット９００の後端部に作用する。ここで、本実施形態のように、第２本体部スリット７３２および第３本体部スリット７３３が、第１本体部スリット７３１とタブ５００の第１の縁部５０１との間をタブ５００の中心線ＣＬに向かい延びている場合、タブ５００の後端側からの荷重をタブ５００の先端部側に伝える介在部７２８と、リベット９００との間に、第１本体部スリット７３１が位置する状態となる。
【００９３】
付言すると、第２本体部スリット７３２および第３本体部スリット７３３が、第１本体部スリット７３１とタブ５００の第１の縁部５０１との間をタブ５００の中心線ＣＬに向かって延びている場合、介在部７２８とリベット９００との間に、リベット９００の後端側への荷重を伝達しにくくする第１本体部スリット７３１が位置する状態となる。そして、この場合、タブ５００の操作がユーザにより開始された際にリベット９００の後端側に加わる荷重が低減するようになる。そして、この場合、上記のとおり、第２スコア線４５０に対して荷重が集中的に作用する。
【００９４】
あらためて、本実施形態のパネル４００の開口形成のプロセスを確認すると、まず、ユーザがタブ５００の後端部を引き起こすことにより、タブ５００がパネル４００に対して傾斜し、タブ５００の後端部とパネル４００の間に隙間ができる。図８（Ｂ）参照。
これは、図７に示す第１本体部スリット７３１、第２本体部スリット７３２および第３本体部スリット７３３により形成される領域７Ｄにより、図８（Ｄ）に示すようなリベット９００の後端部側のタブ本体部５２０の剛性が弱められたことと、図７（Ａ）に示す第２本体部スリット７３２および第３本体部スリット７３３の一端７５１が挿入孔５４０と第２の縁部５０２側の間に伸びて領域７Ａを作り、領域７Ａが図８（Ｂ）に示す８Ａ付近がパネル４００から離れるような屈曲が可能となったことによる。
前記隙間により、ユーザは指を挿入しやすくなる。挿入した指でタブ５００の後端部をさらに引き起こすと、タブ５００の先端部はパネル４００を押圧し、パネル４００の破断が開始する。その後、パネル４００の破断がさらに生じ、第１スコア線４３０のうちの符号４Ｃに示す箇所（図４参照）まで、また、第１スコア線４３０のうちの符号４Ｄに示す箇所まで、パネル４００が破断する。このとき、リベット９００には、タブ５００からの荷重（ユーザからの操作荷重）が、リベット９００の先端部側に作用している。
【００９５】
ここで図７（Ａ）から、符号７Ｄの領域を見た場合、タブ５００を引き起こすと、タブ本体部５２０に接続する介在部７２８が引き上げられる。言い換えれば、タブ５００の引き起こしにより、符合７Ｄの領域は介在部７２８側から引き上げられる。このとき符号７Ｄの領域は、一端部である介在部７２８は引き上げられ、他端部である第１本体部スリット７３１の両端部側はパネル４００側に残るようになるため、符合７Ｄの領域は介在部７２８を頂部として湾曲変形しながら伸張するようになる。この時点では、前記伸張により、タブ５００からの荷重は、リベット９００の後端部側に作用しにくい。
【００９６】
一方、図８(Ｂ)の８Ｂに示すように、タブ５００からの荷重は、タブ５００の先端がパネル４００を押圧する反力としてリベット９００の先端部側に作用している。その後、パネル４００の破断はさらに進行し、第１スコア線４３０のうちの上記符号４Ｃに示す箇所（図４参照）まで、また、第１スコア線４３０のうちの符号４Ｄに示す箇所まで、パネル４００が破断する。これまでの過程では、主に、リベット９００の先端部側にタブ５００からの荷重が作用してパネル４００の破断が進行している。一方、前記符号７Ｄの領域の伸張により、リベット９００の後端部側にタブ５００からの荷重は作用しにくい。
【００９７】
しかし、符号７Ｄの領域の伸張は湾曲変形に伴うため限定的であり、一定量伸張した後は、さらに伸張しにくくなり、タブ５００からの荷重は、符号７Ｄの領域を経由して領域７Ｃに伝わり、リベット９００の後端部側に作用するようになる。さらに言えば、タブ５００からの荷重は、開口プロセスのおよそ前半は主にリベット９００の先端部側に作用し、およそ後半はリベット９００の後端部側にも作用するようになる。前記後半のリベット９００周辺のパネル４００を見てみると、タブ５００の先端はリベット９００の先端部側のパネル４００の押圧を続けているため、図８（Ｃ）に示すように、リベット９００の周辺のパネル４００には回転モーメント８Ｄが作用するようになる。この回転モーメント８Ｄは、図４に示す符合４Ｃから一端部４３１の領域、および符号４Ｄから他端部４３２の領域へ続くスコアを破壊して前記スコアに囲まれた領域を缶内に曲げ入れるように作用し、パネル４００の開口が形成される。
【００９８】
なお、上記では説明を省略したが、舌片部が飲料缶１００の内部へ進入すると、図９（飲料缶１００を上方から眺めた場合の図）の（Ａ）に示すように、タブ５００の先端部側が飲料缶１００の内部へ入り込む。なお、図９の（Ａ）は、タブ５００が起立しパネル４００とタブ５００とが直交している状態を示している。その後、引き起こされたタブ５００がユーザにより元の状態に戻されることとなるが、この際、上記にて説明した、第１カール部スリット５２１（図７参照）、第２カール部スリット５２２、および、溝５２３にて、タブ５００の折れ曲がりが生じるようになる。
【００９９】
この結果、本実施形態では、図９（Ｂ）に示すように、タブ５００の後端部側がパネル４００に沿うようになる。その一方で、タブ５００の先端部側は飲料缶１００の内部に入り込んだ状態となる。ここで、引き起こされたタブ５００がユーザにより元の状態に戻される際に、タブ５００の折れ曲がりが生じないと、タブ５００の先端部側によって、形成された開口の一部が塞がれてしまう。本実施形態の場合は、タブ５００の先端部側は飲料缶１００の内部に留まるようになり、開口とタブ５００との重なりが小さくなる。
【０１００】
なお、上記では、パネル４００に、第２スコア線４５０が設けられている態様を説明したが、第２スコア線４５０を省略する態様とすることもできる。具体的には、例えば、図１０（缶蓋３００の他の構成例を示した図）に示すように、第１スコア線４３０の一方の端部を延長し、第１スコア線４３０のうちのこの延長した部分が、突出部４２０と頂部４３３Ａとの間を通る構成とすることもできる。
【符号の説明】
【０１０１】
１００…飲料缶、２００…容器本体（缶胴）、３００…缶蓋、４００…パネル、４１０…外周縁、５００…タブ、５０１…第１の縁部、５０２…第２の縁部、７３１…第１本体部スリット、７３２…第２本体部スリット、７３３…第３本体部スリット、７５１…一端、９００…リベット
【図１】
2014094751.tif 000003
【図２】
2014094751.tif 000004
【図３】
2014094751.tif 000005
【図４】
2014094751.tif 000006
【図５】
2014094751.tif 000007
【図６】
2014094751.tif 000008
【図７】
2014094751.tif 000009
【図８】
2014094751.tif 000010
【図９】
2014094751.tif 000011
【図１０】
2014094751.tif 000012